(57)【要約】【課題】試験装置100の表示手段140にトリガ周波数を表示する装置及び方法を提供する。【解決手段】一連の等しいタイム・インターバルの各々の期間中、トリガ・イベントの数を計数する。各トリガ・イベント計数値がトリガ表示ウィンドウの対応論理的列に関連する。トリガ表示ウィンドウの対応論理的列に関連したメモリ記憶位置にトリガ・イベント計数値を書き込む。トリガ周波数ロジック手段170は、トリガ・イベント計数値に基づいて多数のトリガ周波数インディケータを発生する。トリガ周波数インディケータをトリガ表示ウィンドウに表示して、試験測定機器のユーザにトリガ密度情報を迅速且つ効果的に伝える。装置は、ジッタ低減ロジック手段175も含み、トリガ周波数インディケータに関連する望ましくないジッタを低減又は除去する。【選択図】図１Ａ
2014041119.tif 000002
【特許請求の範囲】
【請求項１】
試験測定機器の表示手段にトリガ周波数を表示する方法であって、上記試験測定機器の表示手段のウィンドウに関連する時間を複数のタイム・インターバルに分割し、
上記複数のタイム・インターバルの各々の期間中、トリガ・イベントの数を計数し、
上記複数のタイム・インターバルの各々を上記ウィンドウの対応論理的列に関連させ、
上記ウィンドウの対応論理的列に夫々関連する複数のトリガ・イベントの計数値を発生し、
上記ウィンドウの対応論理的列に関連するメモリ記憶位置に複数のトリガ・イベント計数値の各々を書き込む
ことを特徴とするトリガ周波数表示方法。
【請求項２】
被試験信号を受ける入力手段と、
複数の論理的列に論理的に分割されたウィンドウを含み、上記論理的列の各々が１つ以上のタイム・インターバルに関連する表示手段と、
上記１つ以上のタイム・インターバルの各々に対して上記被試験信号に関連したトリガの数の計数値を発生するトリガ周波数ロジック手段と
を具えた試験測定機器。
【請求項３】
試験測定機器の表示手段にトリガ周波数を表示する方法であって、
複数のトリガ・イベント計数値に基づく複数のトリガ周波数インディケータを発生し、
上記表示手段のウィンドウ内に上記複数のトリガ周波数インディケータを表示する
ことを特徴とするトリガ周波数表示方法。
【発明の詳細な説明】
【技術分野】
【０００１】
本発明は、トリガ表示に関し、特に、トリガ周波数情報を発生し、このトリガ周波数情報を試験測定機器の表示手段に表示する方法及び機器に関する。
【背景技術】
【０００２】
オシロスコープの如き試験測定機器の主な用途は、電気信号が時間経過に伴ってどのように変化するかを観察することである。典型的には、オシロスコープは、多数のウィンドウを用いるが、単一のウィンドウに電気的アクティビティを示す。ウィンドウは、しばしば充分な時間をカバーするので、電気信号のいくつかのエッジ又はパルスの如きいくつかの細部を視認できる。デジタル・オシロスコープでは、新たな信号アクティビティを検出すると表示を迅速に更新できる。
【先行技術文献】
【特許文献】
【０００３】
【特許文献１】特開２００９−２１０５７６号公報
【特許文献２】特開２０１１−１４１２７６号公報
【発明の概要】
【発明が解決しようとする課題】
【０００４】
従来のデジタル・オシロスコープでは、信号アクティビティがどの程度しばしば発生するのか、ユーザには多くの場合、明らかではない。オシロスコープの表示手段は、全ての利用可能な時間の内のわずかな部分しか示すことができない。古いアナログ・オシロスコープでは、イベントがどの程度頻繁に生じたかの指示を表示の輝度が与えるので、頻繁に生じるイベントは、希にしか生じないイベントよりも、より明るく描かれる。
【０００５】
いくつかの従来のオシロスコープには、検索機能があり、ソフトウェア・プログラムを用い、予め取込んだデータを検索して、検索条件を探す。トリガ条件と同じに、検索条件をプログラムできる。すべての条件を見つけるために、ウィンドウ内にマークを配置する。かかるアプローチは、大きな処理リソースを必要とし、そのため低速となる。非常に多くのトリガ・イベントが取り込まれると、例えば、かかる検索アプローチがより低速となり、この点からも、実際的ではない。さらに、イベントの検索に対して、メモリ容量が有限である。非常に多くの検索イベントがあるとき、メモリはすぐに一杯となり、残りの検索イベントが無視される。多数の検索イベントが表示の同じ位置になると（表示分解能が有限なため）、従来の検索には、これら多数のイベントをユーザに示す方法がない。
【０００６】
よって、トリガ周波数情報を効果的に判断し表示する改良された装置及び方法が必要である。本発明の実施例は、従来技術の上述及びその他の制限を解決する。
【課題を解決するための手段】
【０００７】
本発明の概念は、次の通りである。
１）試験測定機器（１００）の表示手段（１４０）にトリガ周波数を表示する方法であって；上記試験測定機器の表示手段のウィンドウ（１１０）に関連する時間を複数のタイム・インターバル（１１２）に分割し；上記複数のタイム・インターバルの各々の期間中、トリガ・イベントの数を計数し；上記複数のタイム・インターバルの各々を上記ウィンドウの対応論理的列に関連させ；上記ウィンドウの対応論理的列に夫々関連する複数のトリガ・イベントの計数値を発生し；上記ウィンドウの対応論理的列に関連するメモリ記憶位置に複数のトリガ・イベント計数値（１６５）の各々を書き込むトリガ周波数表示方法。なお、括弧内の参照符号は、単に実施例との関係を示すものであり、本発明を限定するものではない。
２）さらに、上記複数のトリガ・イベント計数値に基づくトリガ周波数インディケータ（２３５）を発生し；上記ウィンドウ内に上記複数のトリガ周波数インディケータを表示することを特徴とする概念１の方法。
３）上記トリガ周波数インディケータの各々は、上記タイム・インターバルの少なくとも１つ内に生じるトリガ・イベントの密度情報を表し；上記複数のトリガ周波数インディケータを表示することは、上記トリガ周波数インディケータの異なる色を用いて上記密度情報を伝達することを特徴とする概念２の方法。
４）上記表示は、さらに、第１トリガ周波数インディケータの第１色を第１トリガ周波数範囲に関連させ；第２トリガ周波数インディケータの第２色を第２トリガ周波数範囲に関連させ；上記ウィンドウ内に上記第１トリガ周波数に関連した上記第１色の上記第１トリガ周波数インディケータを表示し；上記ウィンドウ内に上記第２トリガ周波数に関連した上記第２色の上記第２トリガ周波数インディケータを表示しすることを特徴とする概念３の方法。
５．上記表示は、さらに、第３トリガ周波数インディケータの第３色を第３トリガ周波数範囲に関連させ；第４トリガ周波数インディケータの第４色を第４トリガ周波数範囲に関連させ；上記ウィンドウ内に上記第３トリガ周波数に関連した上記第３色の上記第３トリガ周波数インディケータを表示し；上記ウィンドウ内に上記第４トリガ周波数に関連した上記第４色の上記第４トリガ周波数インディケータを表示することを特徴とする概念４の方法。
６）上記トリガ周波数インディケータの各々は、少なくとも１つの上記タイム・インターバル内に生じるトリガ・イベントの密度情報を表し；上記複数のトリガ周波数インディケータの表示は、さらに、上記トリガ周波数インディケータの異なる物理的特質を用いて上記密度情報を伝達することを特徴とする概念２の方法。
７）上記表示は、さらに、第１トリガ周波数インディケータの第１物理的特質を第１トリガ周波数範囲に関連させ；第２トリガ周波数インディケータの第２物理的特質を第２トリガ周波数範囲に関連させ；上記ウィンドウ内に、上記第１トリガ周波数範囲に関連した上記第１物理的特質の上記第１トリガ周波数インディケータを表示し；上記ウィンドウ内に、上記第２トリガ周波数範囲に関連した上記第２物理的特質の上記第２トリガ周波数インディケータを表示することを特徴とする概念６の方法。
８）上記表示は、さらに、第３トリガ周波数インディケータの第３物理的特質を第３トリガ周波数範囲に関連させ；第４トリガ周波数インディケータの第４物理的特質を第４トリガ周波数範囲に関連させ；上記ウィンドウ内に、上記第３トリガ周波数範囲に関連した上記第３物理的特質の上記第３トリガ周波数インディケータを表示し；上記ウィンドウ内に、上記第４トリガ周波数範囲に関連した上記第４物理的特質の上記第４トリガ周波数インディケータを表示することを特徴とする概念７の方法。
９）上記ウィンドウは、トリガ表示ウィンドウ（１１０）であることを特徴とする概念１の方法。
１０）上記ウィンドウは、メイン波形ウィンドウ（１０５）であることを特徴とする概念１の方法。
１１）上記ウィンドウは、トリガ表示ウィンドウ（１１０）であり、上記方法は、さらに、上記トリガ表示ウィンドウから離れたメイン・ウィンドウ（１０５）内に信号波形を表示し；上記トリガ表示ウィンドウに関連する上記メイン表示ウィンドウの時間的位置を表す上記トリガ表示ウィンドウ内に代表ウィンドウ（１１５）を表示し；上記トリガ・イベント計数に基づいて複数のトリガ周波数インディケータ（１２０）を発生し；少なくとも上記トリガ表示ウィンドウ及び上記代表ウィンドウ内に、上記複数のトリガ周波数インディケータを表示することを特徴とする概念１の方法。
１２）さらに、上記ウィンドウの２つの論理的列に関連する上記複数のトリガ・イベントの間からの単一のトリガ・イベントに応答して、上記ウィンドウの２つの論理的列の幅を有する２倍幅トリガ周波数インディケータ（４５２）を発生し；上記ウィンドウ内に上記２倍幅トリガ周波数インディケータを表示して、可視的なジッタを低減又は除去することを特徴とする概念１の方法。
１３）被試験信号を受ける入力手段（１５５）と；複数の論理的列に論理的に分割されたウィンドウを（１１０）含み、上記論理的列の各々が１つ以上のタイム・インターバル（１１２）に関連する表示手段（１４０）と；上記１つ以上のタイム・インターバルの各々に対して上記被試験信号に関連したトリガの数の計数値を発生するトリガ周波数ロジック手段（１７０）とを具えた試験測定機器。
１４）上記表示手段の上記ウィンドウの上記複数の論理的列の間の対応論理的列に関連するメモリ記憶位に各計数値を蓄積するメモリ（１６０）を更に具えることを特徴とする概念１３試験測定機器。
１５）上記入力手段及び上記メモリに結合され、上記トリガ周波数ロジック手段に関連するプロセッサ（１５０）を更に具え；該プロセッサは、上記１つ以上のタイム・インターバルの各々を上記表示手段の上記ウィンドウの上記対応論理的列に関連させ、上記トリガ周波数ロジック手段からの上記１つ以上のタイム・インターバルの各々に対してトリガ・イベントの数の計数値を受け、該計数値を蓄積のために上記メモリに伝送することを特徴とする概念１４の試験測定機器。
１６）上記トリガ周波数ロジック手段は、さらに、上記１つ以上のタイム・インターバルの各々に対して上記トリガ・イベントの数の計数値に基づいて複数のトリガ・イベント計数値を発生することを特徴とする概念１４の試験測定機器。
１７）上記トリガ周波数ロジック手段は、さらに、上記複数のトリガ・イベント計数値に基づいて複数のトリガ周波数インディケータを発生し；上記表示手段は、上記ウィンドウ内に上記複数のトリガ周波数インディケータを表示することを特徴とする概念１６の試験測定機器。
１８）上記トリガ周波数インディケータの各々は、上記１つ以上のタイム・インターバル内で生じるトリガ・イベントの密度情報を表し；上記トリガ周波数インディケータは、上記トリガ周波数インディケータの異なる色を用いて上記密度情報を伝達することを特徴とする概念１７の試験測定機器。
１９）第１トリガ周波数範囲に関連した第１色の第１トリガ周波数インディケータと；第２トリガ周波数範囲に関連した第２色の第１トリガ周波数インディケータとを更に具え；上記表示手段は、上記第１トリガ周波数範囲に関連した第１色の上記第１トリガ周波数インディケータと、上記第２トリガ周波数範囲に関連した第２色の上記第２トリガ周波数インディケータとを上記ウィンドウ内に表示することを特徴とする概念１８の試験測定機器。
２０）第３トリガ周波数範囲に関連した第３色の第３トリガ周波数インディケータと；第４トリガ周波数範囲に関連した第４色の第１トリガ周波数インディケータとを更に具え；上記表示手段は、上記第３トリガ周波数範囲に関連した第３色の上記第３トリガ周波数インディケータと、上記第４トリガ周波数範囲に関連した第４色の上記第４トリガ周波数インディケータとを上記ウィンドウ内に表示することを特徴とする概念１９の試験測定機器。
２１）上記トリガ周波数インディケータの各々は、上記１つ以上のタイム・インターバル内で生じるトリガ・イベントの密度情報を表し；上記トリガ周波数インディケータは、上記トリガ周波数インディケータの異なる物理的特質を用いて上記密度情報を伝達することを特徴とする概念１７の試験測定機器。
２２）第１トリガ周波数範囲に関連した第１物理的特質の第１トリガ周波数インディケータと；第２トリガ周波数範囲に関連した第２物理的特質の第２トリガ周波数インディケータとを更に具え；上記表示手段は、上記第１トリガ周波数範囲に関連した第１物理的特質の上記第１トリガ周波数インディケータと、上記第２トリガ周波数範囲に関連した第２物理的特質の上記第２トリガ周波数インディケータとを上記ウィンドウ内に表示することを特徴とする概念２１の試験測定機器。
２３）第３トリガ周波数範囲に関連した第３物理的特質の第３トリガ周波数インディケータと；第４トリガ周波数範囲に関連した第４物理的特質の第４トリガ周波数インディケータとを更に具え；上記表示手段は、上記第３トリガ周波数範囲に関連した第３物理的特質の上記第３トリガ周波数インディケータと、上記第４トリガ周波数範囲に関連した第４物理的特質の上記第４トリガ周波数インディケータとを上記ウィンドウ内に表示することを特徴とする概念２２の試験測定機器。
２４）上記ウィンドウは、トリガ表示ウィンドウ（１１０）であり；上記トリガ表示ウィンドウから離れ、信号波形を表示するメイン波形ウィンドウ（１０５）と；上記トリガ表示ウィンドウ内で、上記トリガ表示ウィンドウに関係する上記メイン波形ウィンドウの時間位置を表す代表ウィンドウ（１１５）とを更に具え；上記トリガ周波数ロジック手段は、複数の上記トリガ・イベント計数値に基づいて複数のトリガ周波数インディケータを発生し；上記表示手段は、少なくとも上記トリガ表示ウィンドウ及び上記代表ウィンドウ内にて上記複数のトリガ周波数インディケータを表示することを特徴とする概念１６の試験測定機器。
２５）上記ウィンドウは、トリガ表示ウィンドウであることを特徴とする概念１３の試験測定機器。
２６）上記ウィンドウは、メイン波形ウィンドウであることを特徴とする概念１３の試験測定機器。
２７）上記プロセッサと関連し、上記ウィンドウの２つの論理列の幅の２倍幅トリガ周波数インディケータ（４５２）を発生するジッタ低減ロジック手段（１７５）を更に具え、上記表示手段は、上記ウィンドウ内に、上記２倍幅のトリガ周波数インディケータを表示して、可視的なジッタを低減又は除去することを特徴とする概念１３の試験測定機器。
２８）上記タイム・インターバルは、複数のサブタイム・インターバルを含み；上記プロセッサに関連し、上記論理列の各々を複数のサブタイム・インターバルに分割し、上記サブタイム・インターバルの少なくとも１つの増分だけトリガ周波数インディケータをシフトさせるジッタ低減ロジック手段（１７５）を更に具え；上記表示手段は、上記ウィンドウ内に、上記シフトされたトリガ周波数インディケータを表示して、可視的なジッタを低減又は除去することを特徴とする概念１３の試験測定機器。
２９）上記サブタイム・インターバルに関連したメモリ記憶位置に各計数値を蓄積するメモリ（１６０）を更に具えることを特徴とする概念２８の試験測定機器。
３０）試験測定機器（１００）の表示手段（１４）にトリガ周波数を表示する方法であって；複数のトリガ・イベント計数値に基づく複数のトリガ周波数インディケータ（１２０）を発生し；上記表示手段のウィンドウ内に上記複数のトリガ周波数インディケータを表示することを特徴とするトリガ周波数表示方法。
３１）上記トリガ周波数インディケータの各々は、上記複数のトリガ・イベントの密度情報を表し；上記複数のトリガ周波数インディケータを表示することは、上記トリガ周波数インディケータの異なる色を用いて上記密度情報を上記ウィンドウ内に伝達することを特徴とする概念３０の方法。
３２）上記トリガ周波数インディケータの各々は、上記複数のトリガ・イベントの密度情報を表し；上記複数のトリガ周波数インディケータを表示することは、上記トリガ周波数インディケータの異なる物理的特質を用いて上記密度情報を伝達することを特徴とする概念３０の方法。
３３）さらに、上記試験測定機器の上記表示手段の上記ウィンドウに関連した時間を複数のタイム・インターバル（１１２）に分割し；上記複数のタイム・インターバルの各々の期間中に、トリガ・イベントの数を計数し；上記複数のタイム・インターバルの各々を上記ウィンドウの対応論理的列に関連させ；上記ウィンドウの対応論理的列に各々が関連する複数のトリガ・イベント計数値を発生し；上記ウィンドウの上記対応論理的列に関連したメモリ記憶位置に上記複数のトリガ・イベント計数値を書き込むことを特徴とする概念３０の方法。
３４）上記ウィンドウは、トリガ表示ウィンドウであることを特徴とする概念３０の方法。
３５）上記ウィンドウは、メイン波形ウィンドウであることを特徴とする概念３０の方法。
【図面の簡単な説明】
【０００８】
【図１Ａ】本発明の実施例による試験測定機器の一例のブロック図である。
【図１Ｂ】本発明の実施例により、トリガ周波数インディケータを含む図１Ａの試験測定機器の表示例を示す図である。
【図２】図１Ｂの表示のトリガ表示ウィンドウの例を示す図である。
【図３】図１Ｂの表示のトリガ表示ウィンドウの他の例を示す図である。
【図４】図１Ｂの表示のトリガ表示ウィンドウの更に他の例を示す図である。
【図５Ａ】図１Ｂの表示のトリガ表示ウィンドウの他の例を示す図である。
【図５Ｂ】図１Ｂの表示のトリガ表示ウィンドウの別の例を示す図である。
【図６】本発明のいくつかの実施例によりトリガ周波数インディケータを発生し表示する技術を説明する流れ図である。
【発明を実施するための形態】
【０００９】
本発明の上述及びその他の特徴及び利点は、添付図を参照した実施例の以下の詳細な説明からより一層容易に明らかになろう。
【００１０】
本発明の実施例について詳細に記載するに際し、その例を添付図に示す。以下の詳細説明において、いくつかの特定の詳細は、本発明の概要を理解するためのものである。しかし、これら特定の詳細によらなくても本発明を実施できることが当業者には理解できよう。他の例では、実施例の概念を不必要に不明瞭としないために、既知の方法、手順、コンポーネント、回路及びネットワークについて詳細に説明しない。
【００１１】
ここでは、種々の要素を説明するために第１、第２などの用語を用いるが、これら要素は、これら用語により制限されないことが理解できよう。これら用語は、ある要素を他の要素と区別するためにのみ用いる。例えば、本発明の要旨を逸脱することなく、第１インディケータという用語を第２インディケータに用いることができ、同様に、第２インディケータという用語を第１インディケータに用いることができる。
【００１２】
ここで、種々の実施例の説明に用いる専門用語は、特定の実施例を説明する目的のみであり、本発明の概念を制限することを意図するものではない。文脈が明らかな限り、明細書及び請求項に用いる際に、単数形は複数形を含むものである。ここで用いる用語「及び／又は」は、関連して挙げた１つ以上の項目の任意且つ全ての組合せを包含し且つ言及するものであることが理解できよう。本願で用いる用語「具える」などは、特徴、整数、ステップ、動作、要素及び／又はコンポーネントの存在を特定するものであるが、１つ以上の他の特徴、整数、ステップ、動作、要素、コンポーネント及び／又はこれらのグループの存在や追加を排除するものではないことが更に理解できよう。図面のコンポーネント及び特徴は、必然的にそれを縮尺したものではない。
【００１３】
本発明の実施例は、トリガ・イベントがどの程度頻繁に生じるかを観察するために、試験測定機器のユーザに新たなツールを提供する。ユーザは、あるタイム・インターバル内に生じるトリガ・イベントの周波数（即ち、密度）を迅速に判断でき、分析できる。入力波形の周波数及びその他の特性は、トリガ・イベントの周波数又は密度に直接的に影響する。すなわち、トリガ密度は、入力信号周波数又は入力波形の他の特性の少なくとも一部に基づいている。トリガ周波数インディケータを表示し、これらトリガ周波数インディケータの異なる色又は物理的特質を用いて異なる周波数範囲の間を区別する。トリガ周波数インディケータの表示に関連して存在する可視ジッタは、ジッタ低減ロジック手段を用いて、低減又は除去される。以下に、これら及びその他の本発明の概念を詳細に説明する。
【００１４】
図１Ａは、本発明の実施例による試験測定機器１００のブロック図である。試験測定機器１００は、オシロスコープ、ロジック・アナライザ、スペクトラム・アナライザ、ネットワーク・アナライザなどでもよい。一般的に、整合性や説明の容易さのために、ここでは、試験測定機器１００を単にオシロスコープと呼ぶこともある。
【００１５】
オシロスコープ１００は、入力手段１５５を有する。この入力手段１５５は、１つ以上の被試験電気信号を受けるために、１つ以上の端子を有する。入力手段１５５をプロセッサ１５０に結合する。プロセッサ１５０は、任意の適切なマイクロプロセッサを含んでいる。プロセッサ１５０をメモリ１６０に結合する。メモリ１６０は、任意の形式のメモリである。例えば、メモリ１６０は、ダイナミック・メモリ、スタック・メモリ、リード・オンリ・メモリ、ランダム・アクセス・メモリなどである。以下の説明のため、メモリ１６０は、トリガ計数値、又はこのトリガ計数値に関連した他の関連値を蓄積する。
【００１６】
プロセッサ１５０は、トリガ周波数ロジック手段１７０及び／又はジッタ低減ロジック手段１７５に関連する。トリガ周波数ロジック手段１７０及びジッタ低減ロジック手段１７５は、ソフトウェア・コード、ファームウェア、用途特定集積回路（ＡＳＩＣ）、フィールド・プログラマブル・ゲート・アレイ（ＦＰＧＡ）、ハードウェア回路、又はこれらの任意適切な組合せを含む。
【００１７】
トリガ周波数ロジック手段１７０は、一連の等しいタイム・インターバルの各々の間に生じるトリガ・イベントの数の計数値を発生する。トリガ・イベント計数値１６５は、メモリ１６０のメモリ記憶位置に蓄積される。メモリ１６０の記憶位置は、等しいタイム・インターバルの対応する１つに夫々関連する。トリガ・イベント計数値１６５に基づいて、トリガ周波数ロジック手段１７０は、トリガ周波数インディケータ（以下の説明では、トリガ・インディケータと呼ぶこともある）を発生する。これは、更に詳細に後述する如く、表示手段１４０に表示される。表示手段１４０は、トリガ周波数インディケータや、他のトリガ及び波形情報が存在する表示としてここでは一般的に示すが、かかるトリガ・インディケータ及び波形情報を、インタフェース１８５を介して遠隔装置１８０に伝送し、遠隔装置１８０に関連した遠隔表示手段１９０上に表示できる。遠隔装置１８０は、例えば、デスクトップ・コンピュータ、ラップトップ・コンピュータ、タブレット、スマート・フォンなどである。
【００１８】
トリガ周波数インディケータが表示ウィンドウの１つ以上の論理的列（以下の説明では、論理的表示列と呼ぶこともある）に関連しているときに生じるジッタを補償する。さらに後述するように、ジッタ低減ロジック手段１７５は、２倍幅のトリガ周波数インディケータを発生できるので、表示上の可視ジッタを低減又は除去できる。
【００１９】
図１Ｂは、図１Ａのオシロスコープ１００の表示手段１４０の表示を示し、本発明の実施例によるトリガ・インディケータ（即ち、トリガ周波数インディケータ）１２０を含んでいる。以下、表示手段及びその表示を共に同じ参照符号１４０で示すことがある。表示器１４０は、多数のウィンドウを含んでいる。例えば、表示手段１４０は、メイン波形ウィンドウ１０５及びトリガ表示ウィンドウ１１０を含んでいる。トリガ表示ウィンドウ１１０は、好ましくはメイン波形ウィンドウ１０５の上に配置されるが、表示１４０内の任意の位置に配置できることが理解できよう。トリガ表示ウィンドウ１１０は、スクロール・バーのように機能する。トリガ表示ウィンドウ１１０は、メイン波形ウィンドウ１０５よりも大幅に長い時間をカバーする。
【００２０】
トリガ・イベントの位置は、トリガ表示ウィンドウ１１０内に描かれる。例えば、トリガ・イベントの位置は、トリガ・インディケータ１２０により示される。トリガ・インディケータ１２０により、オシロスコープの操作者は、トリガ・イベントがどの程度頻繁に生じるかを推測できると共に、トリガ・イベントのパターンを観察することができる。
【００２１】
トリガ表示ウィンドウ１１０は、代表ウィンドウ１１５も含むことができる。この代表ウィンドウ１１５は、トリガ表示ウィンドウ１１０に関連するメイン波形ウィンドウ１０５の時間における位置を表す。一般的に、トリガ表示ウィンドウ１１０は、固定された全捕獲時間量を表す。これとは異なり、メイン波形ウィンドウ１０５は、ユーザの要求に応じて、より長い時間又は短い時間をカバーするように調整される。代表ウィンドウ１１５は、メイン波形ウィンドウ１０５の範囲内での任意の変化に比例して、その大きさを変化させる。
【００２２】
図１Ｂのメイン波形ウィンドウ１０５に示すように、単一の波形１２８は、パルス１３０を有する。この例において、メイン・トリガ・イベント１２５が示すように、このトリガ・モード又は基準は、電気信号の立ち上がりエッジでトリガすることである。代表ウィンドウ１１５において、トリガ・インディケータ１２０は、波形パルス１３０に関連するトリガ・イベントの存在を示す。トリガ表示ウィンドウ１１０から、他の３つのトリガ・インディケータ１２０が示すように、少なくとも３つの他の可能性のあるエッジ・トリガ・イベントが見つかることが判る。各トリガ・インディケータ１２０は、単一のトリガ・イベント又は多数のトリガ・イベントを表す。単一トリガ・イベントの場合、トリガ・インディケータ１２０は、単一のチック・マーク（tick mark）である。多数のトリガ・イベントの場合、トリガ・インディケータ１２０が多数のチック・マークで構成されるので、このトリガ・インディケータ１２０が幅広く現れる。しかし、幅広く現れるトリガ・インディケータ１２０を単に構成するだけでは、表示分解能が制限されているため、トリガ・イベントの実際の密度に関する充分な情報を伝えない。本発明の実施例によれば、さらに詳細に後述するように、トリガ・インディケータ１２０のマークの色を変化させることにより、トリガ・インディケータ１２０のマークを大きく又は小さくすることにより、及び／又はトリガ・インディケータ１２０のマークの物理的特質を変更することにより、トリガ・イベントの密度を示すことができる。
【００２３】
図２は、図１Ｂの表示１４０のトリガ表示ウィンドウ１１０の例を示す。色を用いて、トリガ密度を示している。トリガ密度は、異なる周波数範囲に割り当てられた周波数及び色として表されている。トリガ表示ウィンドウ１１０に関連した時間は、等しいタイム・インターバル１１２に分割される。プロセッサ１５０（図１Ａ）は、タイム・インターバル１１１２の各々を、トリガ表示ウィンドウ１１０の対応する論理的列に関連させる。タイム・インターバル１１２の各期間中、トリガ周波数ロジック手段１７０（図１Ａ）は、トリガ・イベントの数を計数する。すなわち、トリガ周波数ロジック手段１７０は、個別のタイム・インターバル１１２の各々におけるトリガ・イベントの数の計数値に基づいて、トリガ・イベント計数値（図１Ａの１６５）を発生する。プロセッサ１５０は、トリガ周波数ロジック手段１７０からの個別のタイム・インターバル１１２の各々に対するトリガ・イベントの数の計数値を受け、その計数値を蓄積のためにメモリ１６０に伝送する。
【００２４】
メモリ１６０は、トリガ表示ウィンドウ１１０の論理的列の中からの対応論理的列に関連したメモリ記憶位置に、各計数値又は関連した値を蓄積する。メモリ１６０は、トリガ表示ウィンドウ１１０内の全論理的列の数程度に深い（即ち、記憶容量が大きい）。トリガ周波数ロジック手段１７０は、メモリ１６０に蓄積されたトリガ・イベントの計数値１６５に基づいて、凡例２３０に示すように、トリガ周波数インディケータ２２５を発生する。表示手段１４０は、トリガ表示ウィンドウ１１０内に、異なるトリガ周波数インディケータ２２５を表示する。トリガ周波数インディケータ２２５の各々は、少なくとも１つのタイム・インターバル１１２内に生じるトリガ・イベントの密度情報を表す。よって、記録されたトリガ情報の量は、利用可能なメモリ１６０の量から切り離されている。すなわち、説明のため、１００,０００個のトリガ・イベントの可能性があるが、トリガ表示ウィンドウ１１０には１,０００個の論理的列があるのみだと仮定すると、１００,０００個の可能性のあるトリガ・イベントの全てに対するトリガ情報をメモリ１６０に蓄積させる必要はない。むしろ、トリガ・イベント計数値１６５は、集約された情報として機能する。すなわち、トリガ・イベント計数値１６５は、メモリの大きさ（容量）が有限であるので実際的でない１００,０００個の個別トリガ・イベントの形式で蓄積されるよりも、１,０００個の論理的列に関連した計数値の形式で記憶される。
【００２５】
いくつかの実施例において、トリガ周波数インディケータ２２５の異なる色を用いて、トリガ周波数インディケータ２２５は、オシロスコープ１００の操作者に密度情報を伝達する。すなわち、トリガ表示ウィンドウ１１０内で表されるある量の時間を与えると、トリガ密度が表現されるか、そうでなければ、周波数に変換される。
【００２６】
例えば、トリガ周波数インディケータ２２５は、第１トリガ周波数範囲（例えば、０〜３００ＫＨｚ）に関連した第１色２０５（例えば黒）の１つ以上のインディケータを含む。他の例によれば、トリガ周波数インディケータ２２５は、他のトリガ周波数範囲（例えば、３００ＫＨｚ〜１ＭＨｚ）に関連した第２色２１０（例えば赤）の１つ以上のインディケータを含む。さらに他の例によれば、トリガ周波数インディケータ２２５は、更に他のトリガ周波数範囲（例えば、１ＭＨｚ〜３ＭＨｚ）に関連した第３色２１５（例えばオレンジ）の１つ以上のインディケータを含む。また、他の例によれば、トリガ周波数インディケータ２２５は、他のトリガ周波数範囲（例えば、３ＭＨｚ〜１０ＭＨｚ）に関連した第４色２２０（例えば黄色）の１つ以上のインディケータを含む。
【００２７】
任意の適切な色を使用できることが理解できよう。また、上述の周波数範囲が例であることも理解できよう。ここで述べる本発明の概念の範囲内で、任意の適切な周波数範囲を用いることができる。異なるトリガ計数値を異なる色に割り当てるので、例えば、比較的低いトリガ計数値が赤を発生し、比較的高いトリガ計数値が青を発生し、中間のトリガ計数値が赤及び青の間の色を発生する。トリガ計数値及び色の間のかかるマッピングは、（表示がサポートする色の制限範囲内で）滑らかである。いくつかの実施例において、マッピングは、線形である。また、いくつかの実施例において、マッピングは、対数である。トリガ周波数情報をユーザに伝えるトリガ計数値及び色の間の任意適切なマッピングを用いることができる点が理解できよう。
【００２８】
図２において、トリガ表示ウィンドウ１１０の左側に、１０ＢａｓｅＴイサーネット（商標）パケットに関連したトリガ周波数インディケータ２３５の例を表示する。トリガ表示ウィンドウ１１０の中央に、ＵＳＢパケットに関連したトリガ周波数インディケータ２４０の例を表示する。トリガ表示ウィンドウ１１０の右側に、１０ＫＨｚ周期信号に関連したトリガ周波数インディケータ２４５の例を表示する。理解できるように、オシロスコープ１００の操作者は、トリガ表示ウィンドウ１１０内に表示されたトリガ周波数インディケータを視覚的に調べることにより、異なるトリガ密度を迅速且つ効果的に分析できる。
【００２９】
より限定的には、トリガ表示ウィンドウ１１０を等しいタイム・インターバル１１２に分割する。タイム・インターバル１１２の各々は、トリガ表示ウィンドウ１１０の対応する論理的列（例えば、論理的列２５５）に関連する。各タイム・インターバルに対して、トリガ・イベントの数を計数するので、トリガ・イベント計数値（例えば、トリガ・イベント計数値２６０）が発生する。トリガ・イベント計数値２６０は、トリガ表示ウィンドウ１１０の対応する論理的列（例えば、論理的列２５５に関連するメモリ記憶位置（例えば、メモリ記憶位置２５０に書き込まれる。少なくともトリガ・イベント計数値２６０に基づいてトリガ周波数インディケータ（例えば、２６５）を発生する。別な方法としては、トリガ周波数インディケータの各々は、少なくとも１つのタイム・インターバル１１２内に生じるトリガ・イベントの密度情報を表す。
【００３０】
図３は、図１Ｂの表示手段１４０の表示におけるトリガ表示ウィンドウ１１０の他の例である。いくつかの要素は、図２の要素と同じか類似であり、説明を簡略化するため、かかる要素の詳細説明を省略する。トリガ周波数インディケータ３２５の異なる物理的特質を用いて、トリガ密度を示す。トリガ密度は、物理的特質として表すことができ、異なる周波数範囲に割り当てられる。
【００３１】
トリガ周波数ロジック手段１７０は、メモリ１６０内に蓄積されたトリガ・イベント計数値１６５に基づいて、凡例３３０に示すように、トリガ周波数インディケータ３２５を発生する。表示器１４０は、トリガ表示ウィンドウ１１０内に、異なるトリガ周波数インディケータ３２５を表示する。トリガ周波数インディケータ３２５の各々は、少なくとも１つのタイム・インターバル１１２内で生じるトリガ・イベントの密度情報を表す。
【００３２】
いくつかの実施例において、トリガ周波数インディケータ３２５は、これらトリガ周波数インディケータ３２５の異なる物理的特質を用いて、オシロスコープ１００の操作者に密度情報を伝達する。例えば、トリガ周波数インディケータ３２５は、第１トリガ周波数範囲（例えば、０〜３００ＫＨｚ）に関連した第１物理的特質３０５を有する１つ以上のインディケータを含む。他の例としては、トリガ周波数インディケータ３２５は、他のトリガ周波数範囲（例えば、３００ＫＨｚ〜１ＭＨｚ）に関連した第２物理的特質３１０を有する１つ以上のインディケータを含む。さらに他の例としては、トリガ周波数インディケータ３２５は、更に別のトリガ周波数範囲（例えば、１ＭＨｚ〜３ＭＨｚ）に関連した更に別の物理的特質３１５を有する１つ以上のインディケータを含む。また別の例としては、トリガ周波数インディケータ３２５は、別のトリガ周波数範囲（例えば、３ＭＨｚ〜１０ＭＨｚ）に関連した別の物理的特質３２０を有する１つ以上のインディケータを含む。
【００３３】
ある周波数範囲を別の周波数範囲から区別できる任意適切な物理的特質を利用できることが理解できよう。上述の周波数範囲は、例に過ぎないことも理解できよう。ここで述べる本発明の概念に入る任意の適切な周波数範囲を用いることができる。
【００３４】
図３において、トリガ周波数インディケータの例（例えば、３３５、３４０、３４５、３５０、３５５、３６０、３６５及び３７０）を示す。理解できる如く、オシロスコープ１００の操作者は、トリガ表示ウィンドウ１１０内に表示されたトリガ周波数インディケータの物理的特質を視覚的に調べることにより、異なるトリガ密度を迅速且つ効率的に分析できる。図示の物理的特質は、高さ又は輝度が変化するが、異なる周波数範囲の間を識別するのに、物理的特質が任意適切に異なるものを利用できることが理解できよう。
【００３５】
上述の如く、トリガ表示ウィンドウ１１０は、等しいタイム・インターバル１１２に分割される。タイム・インターバル１１２の各々は、トリガ表示ウィンドウ１１０の対応論理的列（例えば、論理的列３５５）に関連する。各タイム・インターバルに対して、トリガ・イベントの数を計数するので、トリガ・イベント計数値（例えば、トリガ・イベント計数値３６０）を発生する。トリガ表示ウィンドウ１１０の対応論理的列（例えば、論理的列３５５）に関連するメモリ記憶位置（例えば、メモリ記憶位置３５０）にトリガ・イベント計数値３６０を書き込む。少なくともトリガ・イベント計数値３６０に基づいて、トリガ周波数インディケータ（例えば、３４０）を発生する。別な方法としては、トリガ周波数インディケータの各々は、少なくとも１つのタイム・インターバル１１２内に生じるトリガ・イベントの密度情報を表す。理解できるように、互いに近い異なる周波数範囲に応じて、トリガ周波数インディケータ３４０及び３４５のように、異なるトリガ周波数インディケータが互いに隣接している。
【００３６】
再び、図２及び図３の両方を参照する。トリガ表示ウィンドウ１１０は、スクロール・バーに類似しており、この機能を果たす。トリガ表示ウィンドウ１１０の全体の時間にわたって波形データを捕捉できるほど充分にメモリ１６０の容量が大きければ、オシロスコープの取込み処理が停止し、トリガ表示ウィンドウ１１０内に示される他のトリガ・イベントを調べるために、代表ウィンドウ１１５を移動させることにより、メイン波形ウィンドウ１０５（図１Ｂ）の位置が移動する。
【００３７】
いくつかの実施例において、メイン波形ウィンドウ１０５の外部で波形データを取り込む必要がないので、かかる場合、メイン波形ウィンドウ１０５及び／又は代表ウィンドウ１１５に対してのみトリガ密度情報を表示できる。ここではトリガ表示ウィンドウ１１０をしばしば参照したが、かかる「ウィンドウ」は、代わりにメイン波形ウィンドウ１０５、又はトリガ表示ウィンドウ１１０及びメイン波形ウィンドウ１０５の組合せでもよい。しかし、一般的には、メイン波形ウィンドウ１０５は、信号波形を表示し、トリガ表示ウィンドウ１１０から離れている。少なくともトリガ表示ウィンドウ１１０及び代表ウィンドウ１１５内でトリガ周波数インディケータを好ましくは表示する。
【００３８】
オシロスコープ１００が最小トリガ表示ウィンドウ１１０よりも長い期間を表示するようにオシロスコープ１００の操作者が水平スケールを調整すると、トリガ表示ウィンドウ１１０が出力波形ウィンドウ１０５に一致又は比例するようにトリガ表示ウィンドウ１１０のスケールが変化する。スケールが変化すると、論理的表示列（即ち、論理的列）の各々が長くなった時間又は短くなった時間を表す。トリガ周波数が指示されると（トリガ周波数インディケータの異なる色又は異なる物理的特質を用いる）、スケールの変化によって、周波数を表す方法を変化させる必要がない。すなわち、ディフォルトによって、スケールの変化にもかかわらず色は同じままである。同様に、異なる物理的特質を用いると、スケールの変化にかかわらず、物理的特質は同じままである。代わりに、トリガ表示ウィンドウ１１０が全体で長時間（例えば、秒の以下の代わりに秒又はそれ以上のオーダー）を表す場合、対応する時間変化が更に伝えられ、新たな色又は色あい（又は新たな物理的特質）を用いて、変更後のスケールに反映する。よって、変化した周波数が各タイム・インターバルに関連する。
【００３９】
代わりに、チック・マークを用いてトリガ周波数インディケータを形成すると、ラインの如き任意に標準プロット技術を用いることができる。ここでは、トリガ周波数が低いときに、ラインが低くなり、トリガ周波数が高いときに、ラインが高くなる。かかるラインは、オシロスコープに波形を表示する際に用いるラインと同様である。すなわち、典型的には、電圧が低いときに、波形ラインが低くなり、電圧が高いときにラインが高くなる。メイン波形ウィンドウ１０５、トリガ表示ウィンドウ１１０及び／又はそれ自体が分離したウィンドウ（図示せず）に、かかるトリガ周波数プロットを形成できる。代わりに又は追加として、トリガ周波数プロットは、バー・グラフ、プロット点、ラインに接続した点、曲線の当てはめ、グレー・スケール、色、及び／又はこれらの任意の組合せでもよい。
【００４０】
図２及び図３を参照して説明した実施例において、異なる色又はいつくかの他の印を用いて、時間が左から右に進むプロットとしてトリガ周波数を表示するので、時間経過に伴ってトリガ回路が信号をどのようにみなしているかを、オシロスコープのユーザが観察できる。さらに、種々のトリガ周波数インディケータの間での色又は他の物理的特質の違いを用いてトリガ周波数情報を圧縮し、この圧縮したトリガ情報を表示の限られた分解能内で表示することによって、１つの論理的表示列当たりに１つ以上のトリガ・イベントを示すことができる。
【００４１】
図４は、図１Ｂの表示１４０のトリガ表示ウィンドウ１００の更に別の例を示す。これは、ジッタの低減に関連する。ここでは、説明を簡略にするため、凡例４３０に示すように、１つの形式のトリガ・インディケータ４０５のみを用いる。
【００４２】
トリガ・イベントが周期的且つ一貫した時間に達すると、ユーザは、トリガ・イベントの配置がトリガ表示ウィンドウ１１０内で安定していることを期待する。メイン波形トリガに出会う前に等しいタイム・インターバル４３５を定義するので、メイン波形トリガは、タイム・インターバル内の任意の位置となる。補償を行わないと、これにより、１つのタイム・インターバルの不確実性（即ち、ジッタ）を伴って周期的トリガ・イベントが表示される。オシロスコープのユーザにとって気に障るかかるジッタを低減するか除去し、少なくとも気に障ることを軽減する。
【００４３】
ジッタを低減又は除去する１つのアプローチを図４に示す。このアプローチは、表示になんらかの残光を追加するので、表示が高速に更新されると、ユーザは、いくつかのフレームが重なっているのを見る。よって、ジッタは、２つの隣接した論理的表示列（例えば、４２０及び４２５）の間で振動するチック・マークの代わりに、幅広のトリガ・チック・マーク（例えば４５２）となる。
【００４４】
図５Ａ及び図５Ｂは、図１Ｂの表示１４０のトリガ表示ウィンドウ１１０の他の例を示す。この例は、ジッタの低減に関連する。図４と同様に説明を簡単にするために、凡例５３０に示す如く、１つの形式のトリガ・インディケータ５０５のみを用いる。トリガ表示ウィンドウ１１０を等しいタイム・インターバル５３５に分割する。次に、図５Ａ及び図５Ｂについて説明する。
【００４５】
ここでは、ジッタを低減又は除去するアプローチは、メモリ１６０のサイズ（容量）を増やし、タイム・インターバル５３５の各々の期間を短くするので、多数のメモリ記憶位置が各論理的表示列に対応する。例えば、図５Ｂに示すように、参照符号５７０で示す論理的列５２０及び５２５の２つを図示のために拡大して示す。タイム・インターバル５７５に示すように、タイム・インターバルの期間が短くなる。すなわち、大きなタイム・インターバルの各々を小さなサブタイム・インターバルに分割する。この例においては、大きなタイム・インターバルの各々を１０個のサブタイム・インターバルに分解するが、任意適切な数のサブタイム・インターバルを用いることができる。トリガ周波数インディケータ５５２を１／１０の増分で（即ち、１０個のサブタイム・インターバルの１個以上により）右又は左にシフトすることができる。表示手段１４０は、トリガ表示ウィンドウ１１０内で、シフトされたトリガ周波数インディケータ５５２を表示できるので、可視ジッタを低減又は除去できる。
【００４６】
理解できる如く、多数のメモリ記憶位置５８０が各論理的表示列に関連している。いくつかのメモリ記憶位置５８０は、多数の論理的表示列に関連しているが、そうでなければ、２つの異なる論理的表示列を架橋する。例えば、メモリ記憶位置５８５の如く、複数の表示列を架橋する複数のメモリ記憶位置を両方の列（例えば、５２０及び５２５）に割り当てる、又は関連させるので、トリガ・チック・マーク（即ち、トリガ周波数インディケータ）は、複数の列の間で揺らがない。その代わりに、トリガ周波数インディケータ５５２に関連したジッタを９／１０以下まで低減できる（単一の論理的列当たり１０サブタイム・インターバルと仮定する）。これは、１０サブタイム・インターバルの９個の各々が単一の論理的表示列に関連し、１０サブタイム・インターバルの１個のみが２個の論理的表示列に関連するためである。
【００４７】
図５Ｂに示すように、メモリ記憶位置の数を拡大し、各タイム・インターバルのサイズを縮小すると、所定トリガ周波数インディケータに関連する適切なメモリ記憶位置５８０の各々に個別のトリガ・イベント計数値が蓄積される。例えば、トリガ周波数インディケータ５５２に関連するメモリ記憶位置５８５に、トリガ周波数インディケータ５５２用のトリガ・イベント計数値を蓄積する。トリガ表示ウィンドウ１１０に示すように、メモリ記憶位置５８５に関連するトリガ・イベント計数値は、互いに加算され、圧縮されるか、そうでなければ、トリガ周波数インディケータ５５２の特性を求めるために利用される。
【００４８】
より広い観点からは、タイム・インターバルの分解能と論理的表示列の数とは、任意特定の方法にて関連する必要がない。一般に、表示に示されるジッタを低減するために、表示列以上のタイム・インターバルを有することが好ましい。ここに記載した本発明の要旨を用いることにより、表示自体よりも高い分解能で、トリガ周波数表示をトリガ表示ウィンドウ内に効果的に形成できる。特に、メモリに蓄積されたトリガ計数値の分解能を利用できる。次に、異なる分解能の表示上に、１つのイメージ又はインディケータを表示する技術を用いることにより、高分解能のトリガ周波数表示を表示の分解能に基本的に変換し、試験測定機器の表示上に配置する。
【００４９】
図６は、本発明の実施例によりトリガ周波数インディケータを発生し表示する技術を示す流れ図６００である。この技術は、ステップ６０５で開始し、時間を等しいタイム・インターバルに分割する。ステップ６１５にて、各タイム・インターバル期間中に、トリガ周波数ロジック手段１７０（図１Ａ）は、トリガ・イベントの数を計数する。各タイム・インターバルの終わりにて、このトリガ・イベント計数値（又は、この計数値に関連した値）をメモリ１６０に書き込む。別な方法としては、特定の論理的列に関連する対応メモリ記憶位置に各計数値を蓄積する。時間経過のインターバルとして、メモリ１６０の連続した記憶位置に、各タイム・インターバル期間中のトリガ・イベントの数を書き込む。
【００５０】
トリガ表示ウィンドウ１１０の最終タイム・インターバルが過ぎるまで、メモリ１６０は循環的に書き込まれる。これら繰り返しの期間中、オシロスコープがトリガされ、また、トリガ・イベントに応答して、そのトリガ・イベントの前（例えば、Ｘ秒前）の時間量を、そのトリガの後（例えば、Ｘ秒後）の時間量と組合せて、メモリにセーブする。ステップ６２５の判断は、トリガ表示ウィンドウ１１０の最終タイム・インターバルを通過したかを判断する。イエスの場合、処理は、ステップ６２７に進み、各タイム・インターバルを論理的列に関連させるので、各タイム・インターバルは、トリガ表示ウィンドウ１１０内の１つの論理的列の期間となる。既知の列（例えば、１２５で示す如くメイン・トリガ・イベントに関連している）があることにより、この既知の列に関連して、他の論理的列及びタイミングを整列させることができる。その後、処理はステップ６３０に進み、適切なトリガ周波数インディケータをトリガ表示ウィンドウ１１０内に描く。そうでなく、ステップ６２５でノーならば、トリガ表示ウィンドウ１１０の最終タイム・インターバルをまだ通過していないことを意味し、処理は、更なる処理のためにステップ６１５に戻る。
【００５１】
図６の流れ図の要素は、上述の特定の順序で生じる必要がなく、むしろ、同じ又は異なるハードウェア機器若しくは適切なデジタル・プロセッサにより、これら要素及び判断を異なる時点で行えることが理解できよう。これら技術で説明したステップは、図示した順序、又は説明した順序で実行する必要がないことも理解できよう。
【００５２】
上述の説明は、特定実施例に焦点を当てているが、他の構成も考えられる。以下の説明は、適切な単一又は複数のマシーンの簡単且つ一般的な説明であり、本発明のコンセプトのある概念を実現している。典型的には、単一又は複数のマシーンは、システム・バスを含んでいる。このシステム・バスは、プロセッサ、メモリ、蓄積装置、ビデオ・インタフェース、及び入力／出力インタフェース・ポートに付随している。メモリは、例えば、ランダム・アクセス・メモリ（ＲＡＭ）、リード・オンリ・メモリ（ＲＯＭ）、又は他のステート保存媒体である。単一又は複数のマシーンは、キーボード、マウスなどの従来の入力装置からの入力や、他のマシーン、仮想現実（ＶＲ）環境との相互作用、生体フィードバックから受けた指示、又は他の入力信号により少なくとも部分的に制御される。ここで用いたように、用語「マシーン」は、単一のマシーン、仮想マシーン、又は、これらマシーンや仮想マシーンにコミュニケーション可能に結合されたシステム、又は一緒に動作する複数の装置を広く含む。マシーンの例としては、パーソナル・コンピュータ、ワークステーション、サーバー、ポータブル・コンピュータ、ハンドヘルド装置、電話機、タブレットなどの計算装置と共に、プライベート又はパブリック移動体、例えば、自動車、電車、タクシーなどの輸送手段を含む。
【００５３】
単一又は複数のマシーンは、プログラマブル又は非プログラマブル・ロジック装置又はアレイ、用途特定集積回路（ＡＳＩＣ）、埋め込み形コンピュータ、スマート・カードの如き埋め込み制御器を含むことができる。単一又は複数のマシーンは、ネットワーク・インタフェース、モデム又はコミュニケーション可能な結合を介して１つ以上の遠隔マシーンに１つ以上の結合ができる。複数のマシーンは、イントラネット、インターネット、ローカル・エリア・ネットワーク、ワイド・エリア・ネットワークなどの物理的及び／又は論理上のネットワークによって相互接続できる。ネットワーク・コミュニケーションは、種々の配線及び／又は無線の短距離又は長距離キャリア及びプロトコルを利用でき、これらには、無線周波数（ＲＦ）、サテライト、マイクロ波、電気電子技術者協会（ＩＥＥＥ）５４５．１１、ブルーツース（商標）、光、赤外線、ケーブル、レーザなどを含むことが当業者には理解できよう。
【００５４】
発明の概念の実施例は、機能、手順、データ構造、アプリケーション・プログラムなどを参照し、又はこれらと関連して説明できる。これらをマシーンがアクセスした際の結果は、マシーンによるタスクの実行、若しくは概念上のデータ形式又は低レベルのハードウェア・コンテキストの定義となる。関連データを例えばＲＡＭ、ＲＯＭなどの揮発性及び／又は不揮発性メモリ、又は他の蓄積装置及び関連した蓄積媒体に蓄積できる。これらには、ハード・ドライブ、フロッピー（登録商標）ディスク、光学蓄積装置、テープ、フラッシュ・メモリ、メモリ・ステック、デジタル・ビデオ・ディスク、バイオロジカル蓄積装置などがある。関連したデータは、物理的及び／又は論理上のネットワークを含む伝送環境により、パケット、シリアル・データ、パラレル・データ、伝搬信号などの形式で配信でき、圧縮形式又は暗号化形式で利用できる。関連データは、分散環境にて使用でき、マシーンのアクセスのために局部的に及び／又は遠隔的に蓄積できる。発明概念の実施例は、１つ以上のプロセッサが実行可能な命令から構成された非一時的なマシーンが読出し可能な媒体を含み、これら命令は、上述の発明概念の要素を実行する命令から構成されている。
【００５５】
本発明の要旨を逸脱することなく、他の同様な又は異なる変形が可能である。よって、本発明の要旨は、特許請求の範囲を除いて限定されない。
【符号の説明】
【００５６】
１００  試験測定機器（オシロスコープ）
１０５  メイン波形ウィンドウ
１１０  トリガ表示ウィンドウ
１１５  代表ウィンドウ
１２０  トリガ（周波数）インディケータ
１２５  メイン・トリガ・イベント
１４０、１９０  表示（手段）
１５０  プロセッサ
１５５  入力手段
１６０  メモリ
１７０  トリガ周波数ロジック手段
１７５  ジッタ低減ロジック手段
１８０  遠隔装置
１８５  インタフェース
２３５、２４０、２４５  トリガ周波数インディケータ
２５０  メモリ記憶位置
２５５  論理的列
２６０  トリガ・イベント計数値
３２５、３３５、３４０、３４５、３５０、３５５、３６０、３６５、３７０  トリガ周波数インディケータ
４２０、４２５  論理的表示列
４３５  タイム・インターバル
４５２  トリガ・チック・マーク
５２０、５２５  論理的列
５３５  タイム・インターバル
５５２  トリガ周波数インディケータ
５７５  タイム・インターバル
５８０、５８５  メモリ記憶位置
【図１Ａ】
2014041119.tif 000003
【図１Ｂ】
2014041119.tif 000004
【図２】
2014041119.tif 000005
【図３】
2014041119.tif 000006
【図４】
2014041119.tif 000007
【図５Ａ】
2014041119.tif 000008
【図５Ｂ】
2014041119.tif 000009
【図６】
2014041119.tif 000010